(57)【要約】  本発明は、テイクアウトなどで使用される飲料用カップを用いて事務室、家庭などに移動または配達するときに容易に組み立てて使用することができ、特に、使い捨て用として使用された２個以上のカップを結合することによって、カップが容易に倒れないように支持できる機能性キャリアを得るためのものであって、二つ以上のカップを支持できるように枠面を支える支持面が形成され、中央に貫通口が形成された上部支持ブラケット；及び前記上部支持ブラケットの貫通口を連結できるように挿入突起が上部と下部に形成され、カップを運搬できるように形成された運搬用取っ手；を含んで構成され、組み立てと運搬が便利であり、特に、コーヒーカップキャリアのリサイクルによって環境汚染防止及び費用節減を達成し、社会と企業の利益を図ろうとする非常に有用な発明である。
2016508101.tif 000002
【特許請求の範囲】
【請求項１】
二つ以上のカップを支持できるように枠面を支える支持面が形成され、中央または側面に貫通口が形成された上部支持ブラケット；及び
前記上部支持ブラケットの貫通口を連結できるように挿入突起が上部に形成され、カップを運搬できるように形成された運搬用取っ手；を含んで構成されることを特徴とする機能性テイクアウトカップキャリア。
【請求項２】
前記二つ以上のカップを支持できるように枠面を支える支持面が形成され、中央に貫通口が形成された上部支持ブラケット；
二つ以上のカップ側面を支持するようにガイド羽根が形成され、中央に貫通口が形成された羽根支持ブラケット；及び
前記上部支持ブラケットと羽根支持ブラケットの貫通口を互いに連結できるように挿入突起が上部と下部に形成され、カップを運搬できるように形成された運搬用取っ手；を含んで構成されることを特徴とする、請求項１に記載の機能性テイクアウトカップキャリア。
【請求項３】
前記上部支持ブラケットには、３個のカップまたは４個のカップを支えるようにカップ枠の支持面が形成されたことを特徴とする、請求項１に記載の機能性テイクアウトカップキャリア。
【請求項４】
前記上部支持ブラケットには、カップ枠を挿入できるように上部または下部に挿入溝が形成され、前記挿入溝内に突起が形成されたことを特徴とする、請求項２に記載の機能性テイクアウトカップキャリア。
【請求項５】
前記上部支持ブラケットには、支持面の終端にリングまたは曲げ脚が形成されたことを特徴とする、請求項１に記載の機能性テイクアウトカップキャリア。
【請求項６】
前記羽根支持ブラケットには、２個、３個または４個のガイド羽根が形成されたことを特徴とする、請求項２に記載の機能性テイクアウトカップキャリア。
【請求項７】
前記運搬用取っ手の水平支持台の上部面または下部面に多数の挿入溝が形成され、多数のカップの運搬時にキャリアの重心を取れるように形成されたことを特徴とする、請求項１に記載の機能性テイクアウトカップキャリア。
【請求項８】
前記運搬用取っ手の終端には紙ホルダーまたはスプーン掛け棒が形成されたことを特徴とする、請求項１に記載の機能性テイクアウトカップキャリア。
【請求項９】
前記運搬用取っ手同士を互いに連結するように挿入溝に掛けフックが形成された取っ手をさらに構成したことを特徴とする、請求項７に記載の機能性テイクアウトカップキャリア。
【請求項１０】
機能性テイクアウトカップキャリアにおいて、
二つ以上のテイクアウトカップを支持できるように枠面を支える支持面が形成され、カップリングの終端に装着ホールが形成された上部支持ブラケット；及び
前記上部支持ブラケットのカップリングに形成された装着ホールに掛けフックで掛けられるように多数のハンガーが形成された運搬用ハンドル；
を含んで構成されることを特徴とする機能性テイクアウトカップキャリア。
【請求項１１】
前記上部支持ブラケットには、
中央に貫通口が形成され、前記中央の貫通口に補助脚が形成されたことを特徴とする、請求項１０に記載の機能性テイクアウトカップキャリア。
【発明の詳細な説明】
【技術分野】
【０００１】
本発明は、テイクアウトなどで使用される飲料用カップを事務室、家庭などに移動または配達するときに容易に組み立てて使用することができ、特に、リサイクル時、多くのカップが倒れにくく、多様な容器として使用できるように補助する機能性テイクアウト（ｔａｋｅ―ｏｕｔ）カップキャリアに関する。
【背景技術】
【０００２】
近来では、ブラックコーヒー、クリーム入りコーヒー、各種お茶や飲料を各自の趣向に合わせて購買して飲めるようにテイクアウト用使い捨てカップが多く発売されている。また、使い捨てカップの使用者数が爆発的に増加している。
【０００３】
そこで、多様なデザインの使い捨てカップが発売されているが、カップをキャリアできる道具としては、紙ボックスとビニール袋を利用する単純な構造の形態が使用されている。
【０００４】
また、使い捨てカップを使用した後で捨てる場合、環境汚染と処理費用増加をもたらし、再処理時に環境汚染が発生するという問題があった。
【０００５】
従来は、飲料瓶を２個以上運搬する場合、ビニール袋に入れた飲料瓶同士が互いにぶつかり合って割れるおそれがあり、飲料瓶を手で持ち歩く場合、２個以上の飲料瓶を運搬しにくいという短所がある。また、ビニール袋は環境汚染をもたらし得る。
【０００６】
このような問題を解決するための特許文献１においては、底部を基準にして底部の一面から接合部が延長され、底部の他面から背面部が延長され、背面部から上面部が延長され、上面部から接合部が延長されるように形成されると共に、接合部同士が接着されて形成されることによって、それぞれの接合部が互いに対向するように接合・形成されることを特徴とするカップ、瓶などの内容物が収容された容器の運搬箱が公知となっているが、ごみの排出が増加し、使い捨てカップをリサイクル（カップ同士を結合道具などで）しにくいという問題があった。
【先行技術文献】
【特許文献】
【０００７】
【特許文献１】韓国公開特許第１０―２００８―００４５４７４号
【発明の概要】
【発明が解決しようとする課題】
【０００８】
したがって、発明の解決しようとする課題は、コーヒー専門店などでコーヒーなどを多数購入するとき、コーヒーカップを運搬するのに便利なキャリアを提供することを目的とする。
【０００９】
本発明の他の目的は、紙ボックスが破れたり、組み立てが不便であるという問題を解決し、破損が少なく、組み立てが便利な機能性テイクアウトカップキャリアを提供することを目的とする。
【００１０】
本発明の他の目的は、蓋を有する使い捨てカップをリサイクルすることによって環境汚染を防止し、植木鉢、鉛筆立て、ピン入れ、調味料入れなどとしてリサイクルできる環境に優しい使い捨てカップを固定ブラケットで使用できるカップキャリアを提供することを目的とする。
【課題を解決するための手段】
【００１１】
本発明の解決手段は、２個以上のカップを支持できるように枠面を支える支持面が形成され、中央に貫通口が形成された上部支持ブラケットと、前記２個のカップ側面を支持するようにガイド羽根が形成され、中央に貫通口が形成された羽根支持ブラケットと、前記上部支持ブラケットと下部支持ブラケットの貫通口を連結できるように挿入突起が上部と下部に形成され、カップを運搬できるように形成された運搬用取っ手とを含んで構成され、これらを組み立てることによって多数のカップの運搬を可能にした。
【発明の効果】
【００１２】
本発明は、テイクアウト用として２個以上のカップを購入するとき、便利に運搬及び組み立てられるように形成できるという効果を有する。
【００１３】
また、コーヒー専門店で多数のコーヒーを購入するときに利用しなければならないコーヒーカップキャリアは、一度使用すると再使用が不可能であるので、これを改善してコーヒーカップに再び組み立てることによって、多数のコーヒーカップを互いに固定させながらコーヒーカップの倒れを防止し、植木鉢、鉛筆立て、ピン入れなどの多様な用途で同時に使用できるようにし、コーヒーカップキャリアのリサイクルによって環境汚染の防止及び費用の節減を達成し、その結果、社会と企業の利益を図ることができるという効果を有する。
【００１４】
特に、多数のカップを組み立てて植木鉢として使用するとき、美的感覚をそのまま活用し、事務室、学校、家庭で環境造成に寄与するという優れた効果を有するので、非常に有用な発明である。
【図面の簡単な説明】
【００１５】
【図１】本発明の好ましい実施例の機能性テイクアウトカップキャリアを示した組立図である。
【図２】本発明の機能性テイクアウトカップキャリアの使用状態図である。
【図３】本発明の機能性テイクアウトカップキャリアを示した平面図である。
【図４】本発明の機能性テイクアウトカップキャリアの他の実施例を示した図である。
【図５】本発明のリサイクルカップとして使用するときの結合斜視図である。
【図６】本発明の３個のカップを収容できる機能性テイクアウトカップキャリアの組立図である。
【図７】本発明の３個のカップを収容できる上部支持ブラケットの斜視図である。
【図８】上部支持ブラケットの断面図である。
【図９】上部支持ブラケットの断面図である。
【図１０】機能性テイクアウトカップキャリアを植木鉢と筆記具立てとして使用したときの使用状態図である。
【図１１】機能性テイクアウトカップキャリアを本発明の他の実施例の４個のカップをキャリアできるように示した組立図である。
【図１２】図１１の機能性テイクアウトカップキャリアをリサイクルできるようにカップリングを除去した後で挿入したときの状態図である。
【図１３】運搬用取っ手の使用状態図である。
【図１４】２個のカップを運搬できるように運搬用取っ手が掛けられる掛けフックが形成された運搬用取っ手を示した斜視図である。
【図１５】上部支持ブラケットに多数の挿入溝が形成されたときの斜視図である。
【図１６】機能性テイクアウトカップキャリアにバスケットが掛けられるように形成されたときの使用状態図である。
【図１７】上部支持ブラケットの中央と側面に貫通口が形成され、２個のカップのみを使用するときと３個のカップを収容するときの重心が異なることから、上部支持ブラケットが必要に応じて選択的に使用できるように形成されたときの状態図である。
【図１８】機能性テイクアウトカップキャリアが棚に掛けられて植木鉢として使用できるように形成されたときの使用状態図である。
【図１９】３個のカップを収容した上部支持ブラケットの終端の装着ホールに掛けフックが形成されたときの使用状態図である。
【図２０】３個のカップを収容した上部支持ブラケットの終端の装着ホールに掛けフックが形成されたときの使用状態図である。
【発明を実施するための形態】
【００１６】
以下、本発明の好ましい実施例の植木鉢として使用できる機能性テイクアウトカップキャリアを添付の図面を参照して詳細に説明する。
【００１７】
図１〜図２０に示した本発明は、テイクアウト用使い捨てカップを誰でも容易に運搬することができ、組み立てが不便なカップボックスの問題を解決し、雨が降る日や水がある場所でも諸機能を発揮することができ、運搬及び再使用時にカップ同士を互いに支持できるように形成されたことを要旨としている。
【００１８】
まず、本発明は、使い捨てカップを容易に運搬できることを要旨とすることについて説明する。
【００１９】
２個のカップ２１０を運搬するとき、図１〜図２に示したように、本発明は、二つ以上のカップ２１０を支持できるように枠面を支える支持面１２０が形成され、中央に貫通口１３０が形成され、側面に挿入溝が形成された上部支持ブラケット１４０と、２個のカップ側面を支持するようにガイド羽根１９０が形成され、中央に貫通口１８０が形成された羽根支持ブラケット２００と、前記上部支持ブラケット１４０と羽根支持ブラケット２００の貫通口１３０、１８０を連結できるように挿入突起１５０が上部と下部に形成され、挿入突起１５０に挿入されて運搬できるように形成された運搬用取っ手１７０とを含んで構成されることを特徴とする。カップ２１０には、蓋２５０とストロー差し込み口２３０が形成されている。
【００２０】
前記上部支持ブラケット１４０には、カップ２１０の枠面を支えるように弧形構造の支持面１２０が形成され、前記支持面の終端には、カップを支えるようにカップリング２６０または曲げ脚３５０が形成され、このカップリング２６０または曲げ脚３５０は、カップの荷重を支持するように前記上部支持ブラケット１４０の上部面に形成された。また、前記上部支持ブラケット１４０の中央には貫通口１３０が形成され、この貫通口１３０は、羽根支持ブラケットの貫通口１８０と連結できるように形成された（曲げ脚とは、一面が開口された構造をいう。）。
【００２１】
本発明の実施例において、上部支持ブラケット１４０は、支持面の終端にカップを支えるように曲げ脚３５０とカップリング形態が選択的に製造されて使用できるように形成された。
【００２２】
図４に示したように、本発明のリサイクルカップとして使用するために、上部支持ブラケット１４０の下部には挿入溝１００が形成され、前記挿入溝の内部にはカップが抜けることを防止する突起１１０が形成された。図５に示したように、カップのリサイクル時に、上部支持ブラケットのカップリング２６０または曲げ脚３５０は、切り取って使用してもよく、そのまま使用してもよいが、上部支持ブラケットのカップリング２６０または曲げ脚３５０を容易に切り取れるように切り取り部が形成されることが好ましい。
【００２３】
前記のように、挿入溝１００にカップ枠面が挿入され、カップが抜けないように装着されることによって、カップの倒れや離脱を防止し、図１０に示すように、前記カップに土を入れて植木鉢として使用したり、筆記具立て、保管容器などにリサイクルできるようにした。
【００２４】
図６及び図７に示したように、本発明は、３個のカップを運搬または固定できるように下記のように形成された。
【００２５】
まず、３個のカップを支える３面の支持面１２０が形成され、中央に貫通口１３０が形成された上部３面支持ブラケット２９０を備えている。また、上部３面支持ブラケットの下部面には挿入溝１００が形成され、前記挿入溝内には、カップが容易に抜けないように突起１１０が形成された。
【００２６】
前記上部３面支持ブラケット２９０と結合される３面羽根支持ブラケット３００は、ガイド羽根１９０が３個のカップを支持するようにそれぞれ形成され、中央に貫通口１８０が形成されたことを特徴とする。
【００２７】
前記のように、３個のカップをキャリアできるように、上部３面支持ブラケット２９０と３面羽根支持ブラケット３００が運搬用取っ手１７０に挿入されて運搬できるようにした。
【００２８】
図８は、上部３面支持ブラケットの断面を示したものであって、挿入溝１００と、前記挿入溝内に形成された突起１１０とを備えている上部３面支持ブラケットを示し、図９は、挿入溝内に傾斜面１００―１が形成され、前記挿入溝にはカップが抜けないように突起１１０が形成されたことを示す。
【００２９】
図１０は、３個のカップを固定できるように機能性テイクアウトカップキャリアが装着されたときの使用状態図であって、カップの枠上部に上部３面支持ブラケット２９０を挿入することによってカップが抜けることを防止し、カップをリサイクルすることができる。
【００３０】
図１１及び図１２に示した本発明は、４個のカップを運搬及び固定できるように下記のように形成された。まず、図１１の組立図によると、多数の挿入突起１５０が形成され、前記挿入突起の上部に上板１６０が形成された運搬用取っ手１７０と、４個のカップを支持するように４個の支持面１２０が形成され、中央に貫通口１３０が形成された上部４面支持ブラケット３１０と、前記上部４面支持ブラケット３１０と結合される４面羽根支持ブラケット３２０とを備えており、４面羽根支持ブラケット３２０には、カップの側面を支持するように４個の支持羽根１９０が形成され、中央には貫通口１８０が形成された。また、図１１のカップリング２６０は、カップリング２６０にカップが掛けられるように形成された。
【００３１】
前記運搬用取っ手１７０は、カップの長さに応じて長さを調節できるように多数の挿入突起１５０を備えており、下部に装着される４面羽根支持ブラケット３２０の位置を設定できるように形成された。
【００３２】
図１２によると、４個のカップを同時に運搬できるように上部４面支持ブラケット３１０と４面羽根支持ブラケット３２０が運搬用取っ手１７０で結合された。
【００３３】
図１２は、４個のカップを運搬用として使用した後、カップリング２６０または曲げ脚を切り取り、リサイクル可能に形成したときの使用状態図である。
【００３４】
図１３及び図１４によると、２個以上のカップを容易にまたは安全に運搬できるように取っ手３３０が形成された。前記取っ手３３０の両側には掛けフック２７０が形成され、掛けフック２７０に運搬用取っ手１７０が掛けられるようにした。
【００３５】
また、図１４は、取っ手の使用状態図であり、取っ手３３０は、掛けフック２７０を両側に伸縮可能にし、カップ同士を離隔させ、多量のコーヒーを運搬できるようにするという特徴を有する。運搬用取っ手同士は、互いに掛けられて使用される。
【００３６】
本発明の他の実施例の図１５〜図１８に示した本発明は、テイクアウトカップを支持できるように枠面を支える支持面とカップリング２６０が形成されたカップ支持ブラケット；及び前記カップ支持ブラケットを支持する運搬用取っ手；を含んで構成されるテイクアウトカップキャリアにおいて、前記運搬用取っ手１７０の水平支持台１７０―２の上部面または下部面に多数の挿入溝１７０―６が形成され、キャリアの重心を取れるように形成されたことを特徴とする。前記運搬用取っ手１７０は、水平支持台１７０―２及び垂直支持台１７０―３を含んで構成され、前記垂直支持台１７０―３がカップ支持ブラケットの貫通口に挿入されて固定されるように挿入突起１５０が形成された。本発明の水平支持台１７０―２は、上部または下部面に多数の挿入溝１７０―６が形成され、これら挿入溝１７０―６に取っ手の掛けフックが挿入されるようにした。
【００３７】
図１５及び図１６に示した本発明においては、水平支持台１７０―２の上部に補助挿入台１７０―４が形成され、多数の挿入溝１７０―６が形成された。図１６の運搬用取っ手の終端には、紙ホルダーまたはスプーン掛け棒２３０が形成されたことを特徴とする。また、カップの代わりに、バスケット３８０をカップリングに掛けて使用することもでき、カップリングにバスケット３８０を固定するとき、掛けフック３７０をカップリングに掛けて使用することができる。
【００３８】
前記挿入溝１７０―６は、実施例のように、取っ手３３０の挿入突起２７０が挿入されるようにし、移動時に多数のカップを便利に運搬できるように形成された。前記挿入溝は、中心点で重心になる挿入溝１７０―６に移動し、挿入突起２７０に挿入されて水平を維持するように形成された。図１７によると、３個または４個のカップを収容する上部支持ブラケットの中央と側面に装着口１３０、１３０―１が形成され、挿入されたカップに応じて重心が変わることから、選択的に挿入できる装着口が形成された。図１８は、機能性テイクアウトカップキャリアが棚掛けに便利に掛けられるようにしたときの使用状態図である。
【００３９】
本発明の上部支持ブラケットは、カップが挿入されなくても立てられるように貫通口に補助脚を形成して使用することができる。
【００４０】
本発明の他の実施例の図１９及び図２０に示したように、本発明によると、二つ以上のテイクアウトカップを支持できるように枠面を支える支持面１２０が形成され、カップリング２６０の終端に装着ホール３１０が形成された上部支持ブラケット３４０と、前記上部支持ブラケット３４０のカップリング２６０に形成された装着ホール３１０に掛けフック３２０で掛けられるように多数のハンガー４００が形成された運搬用ハンドル１７０―１とを含んで構成される機能性テイクアウトカップキャリアが形成された。本発明の実施例を詳細に説明すると；３個の飲料用カップを運搬できるように上部支持ブラケット３４０が形成された。前記上部支持ブラケットにおいては、飲料が入っているカップの重さを支えるように両側に支持面が形成され、前記カップを固定できるようにカップリング２６０が形成された。前記のように、上部支持ブラケット３４０は、カップを固定または支持するように形成され、前記カップリング２６０の側面には装着ホール３１０が形成され、掛けフック３２０で容易に掛けられて運搬できる運搬用取っ手が形成された。前記運搬用取っ手は、終端に掛けフックが備えられた多数のハンガー４００が形成され、２個、３個または４個のカップを運搬できるように形成された。前記ハンガーは、多数のカップを移動するのに便利な長さに形成されることが好ましい。
【図１】
2016508101.tif 000003
【図２】
2016508101.tif 000004
【図３】
2016508101.tif 000005
【図４】
2016508101.tif 000006
【図５】
2016508101.tif 000007
【図６】
2016508101.tif 000008
【図７】
2016508101.tif 000009
【図８】
2016508101.tif 000010
【図９】
2016508101.tif 000011
【図１０】
2016508101.tif 000012
【図１１】
2016508101.tif 000013
【図１２】
2016508101.tif 000014
【図１３】
2016508101.tif 000015
【図１４】
2016508101.tif 000016
【図１５】
2016508101.tif 000017
【図１６】
2016508101.tif 000018
【図１７】
2016508101.tif 000019
【図１８】
2016508101.tif 000020
【図１９】
2016508101.tif 000021
【図２０】
2016508101.tif 000022
【国際調査報告】
2016508101.tif 000023
2016508101.tif 000024
2016508101.tif 000025
2016508101.tif 000026
2016508101.tif 000027
2016508101.tif 000028